Podtech/llm-jp-corpus-v4-ja_patent huggingface dataset:
(57)【要約】【課題】  これまで漢字ナンバークロスワードパズルは基本的に完成した漢字をグリッドに当てはめるものしかなく、漢字の部品を要素とするものは考案されていなかった。また、部首・部品に着目したパズルは存在したものの、形態やルールの特殊性などにより普及には至っていなかった。さらに、漢字を部品に分解する基準が曖昧だったため、漢字の成り立ちを正しく学習するための教材として活用することはできなかった。【解決手段】  タテ・ヨコそれぞれのワードを漢字１字とし、その漢字を一般的な漢字辞書の定義に基づいて部品に分解する。そして、その部品をグリッドの白マスに当てはめるようにしたことで、漢字の学習にも役立つ漢字部品ナンバークロスワードパズルを成立させた。【選択図】図５
2014018636.tif 000002
【特許請求の範囲】
【請求項１】
漢字を部品に分解し、その部品をグリッドの白マスに当てはめて完成させるナンバークロスワードパズル。これまでナンバークロスワードパズルとして一般に認識されている要素（形態やルール）については、請求の範囲としない。
【発明の詳細な説明】
【技術分野】
【０００１】  本発明は漢字の部品を用いた新しいナンバークロスワードパズルに関する。
【背景技術】
【０００２】  ナンバークロスワードパズルは、グリッド（枠）の中のタテ・ヨコに交差する白マスにワード（単語・熟語）を当てはめ、パズルを完成させるゲームである。通常のクロスワードパズルのようなカギ（ヒント）がない代わり、白マスに番号が振ってある。同じ番号のマスには同じ文字が入り、それを元にワードを導き出す。鉛筆一本で楽しめる手軽さ、ルールのわかりやすさ、知的好奇心や達成感を満足させる面白さなどの理由から、雑誌・新聞などさまざまな媒体に掲載され、老若男女を問わず幅広い遊戯者に親しまれている。【０００３】  我が国では白マスにカタカナを当てはめる種類がもっともポピュラーだが、漢字を用いるナンバークロスワードパズルも人気を集めている（例えば、非特許文献１参照）。また、漢字を用いるパズルとしては、ナンバークロスワードパズルのほかにも多様な種類が存在する（例えば、非特許文献２）。
【先行技術文献】
【非特許文献】
【０００４】
【非特許文献１】  「クロスワードＤａｙ  ２０１２年７月号」、株式会社双葉社、２０１２年、Ｐ８８−８９
【非特許文献２】  「漢字横丁」、株式会社ニコリ、２０１１年、Ｐ６０−６１
【発明の概要】
【発明が解決しようとする課題】
【０００５】  以上に述べたナンバークロスワードを含む漢字パズルでは、すべての白マスに当てはめる要素に漢字の部品を用いる漢字ナンバークロスワード、ならびにナンバークロスワードの形態をとる漢字分解・組み立てのパズルは、これまで考案されていなかった。
【課題を解決するための手段】
【０００６】  本発明は、各ワードを漢字１字とし、白マスにはその漢字を構成する部品を当てはめることで、漢字の部品を用いたナンバークロスワードパズルを成立させたものである。
【発明の効果】
【０００７】  本発明によって、遊戯者は従来になかった新しい漢字ナンバークロスワードパズルに興じることができる。また、部品への分解、ならびに組み立てを行う漢字パズルを、ルールが単純でわかりやすいナンバークロスワードの形態で楽しむことができる。【０００８】  さらには、以上の理由によって、ナンバークロスワードパズルを楽しみながら漢字の学習効果や脳の活性効果を幅広い遊戯者層において期待できる。
【図面の簡単な説明】
【０００９】
【図１】  本発明の設問のグリッド（枠）の一例
【図２】  同漢字欄の一例
【図３】  同チェック欄の一例
【図４】  同解答欄の一例
【図５】  同正解の一例
【発明を実施するための形態】
【００１０】  以下、本発明を実施するための形態を、遊戯方法に基づいて説明する。
【００１１】  図１のグリッドにおいて、タテ１〜１９、ヨコ１〜２３のワードにはそれぞれ漢字１字が該当し、白マスにはその漢字を構成する部品が当てはまる。記号Ａ〜Ｋが同じマスには同じ部品が入り、ヒントとして最初に記入してある部品も参考にしながら、マスを正しく埋める。パズルの進行上必ずしも必要ではないが、それぞれの漢字を正誤や重複の確認などのため、図２の漢字欄に記入しておく。
【００１２】  漢字を構成する部品の定義は、一般的な漢字辞書に準ずる。漢字の部品への分解は、解答が過度に難解になることを避け、また漢字の正しい学習に役立つよう、部首となりえる最大の部品までとすることが望ましい。例えば、「黙」という漢字を分解する場合、部首
2014018636.tif 000003
【００１３】  以上の作業によってすべての白マスを正しく埋めることができれば、漢字部品ナンバークロスワードパズルは成立する。さらに一般的なナンバークロスワードパズルと同じように、図３のチェック欄に特定の部品を書き出し、その部品を組み立てて出来る漢字１字を最終解答として図４の解答欄に記入するような仕掛けを作ることで、本発明を解く楽しさをいっそう高めることができる。図３の記号は順不同である。
【図１】
2014018636.tif 000004
【図２】
2014018636.tif 000005
【図３】
2014018636.tif 000006
【図４】
2014018636.tif 000007
【図５】
2014018636.tif 000008
(57)【要約】【課題】雨に濡れた傘を袋に入れ、その後取り出して使う時に傘の布がずぶ濡れでなく使いやすいように傘の水分を吸収する吸水マット付き傘袋を提供する。【解決手段】雨に濡れた傘を入れる袋の内側に吸水マットを設けた傘袋を特徴とする。。【選択図】図１
2014018637.tif 000002
【特許請求の範囲】
【請求項１】
雨に濡れた傘を入れる傘袋の内側に吸水マットを設けた、吸水マット付き傘袋。
【発明の詳細な説明】
【技術分野】
【０００１】この発明は、傘袋の内側に吸水マットを設けた、吸水マット付き傘袋に関するものである。
【背景技術】
【０００２】従来、傘袋は折りたたんだ雨傘と同じ形、同じ大きさの薄いポリ袋のみで作られていた。
【発明の概要】
【発明が解決しようとする課題】
【０００３】これは次のような欠点があった。
従来、雨にぬれた傘をたたんで袋に入れる、後にそれを使うために袋より取り出すと傘は雨に濡れたままなので周りの人に注意しながら傘を開き使用する。
袋は雨に濡れたままで「べたべた」で使用に耐えない。薄いポリ袋を提供したデパートもお客様が帰られる時は、そのままポリ袋用ゴミ箱に捨てるようにゴミ箱を準備している。
上記の様に一回使用では大変もったいない。
車に乗る時に傘をたたんで座席の足元に置くと、雨のしずくで車内が濡れ、後始末が大変である。
本発明は、以上のような欠点をなくすためになされたものである。
【発明が解決するための手段】
【０００４】（１）雨に濡れた傘を入れる袋の内側に、傘の布のボリュームに比例した吸水マットを設ける。
（２）雨に濡れた傘の水量を十分吸水できる吸水マットの数を設ける。
（１）、（２）を充たす設定を行なう。
【発明の効果】
【０００５】どしゃ降りの中で傘を使用し、袋に入れる。そしてそれをまた使用するときに乾いてはないがずぶ濡れではなく、使用するには十分であり、なんら支障はない。
車の乗降時に水も漏らさない思いやり、友人、知人との絆を築く。
【図面の簡単な説明】
【０００６】
【図１】  本発明の斜視図である。
【図２】  本発明の断面図である。
【図３】  本発明の斜視図（袋折りたたみ図）である。
【本発明を実施するための形態】
【０００７】以下、本発明を実施するための形態について説明する。
たたまれた傘の大きさで、雨水を漏らさないナイロン製の取っ手付きの袋を作成する。
その袋の内側に吸水マットを図の箇所に取り付ける。
また、傘袋使用後に、袋を折りたたみ締め付けバンドのマジックテープにて留め持ち運びを良くする。
本発明は以上のような構造である。
【符号の説明】
【０００８】１  傘袋
２  締め付けバンド
３  吸水マット
４  傘
５  マジックテープ
【図１】
2014018637.tif 000003
【図２】
2014018637.tif 000004
【図３】
2014018637.tif 000005
(57)【要約】      （修正有）【課題】効率よく衣類を洗濯する。【解決手段】密閉可能な容器内の圧力差を利用する。すなわち、高圧・低圧に耐えられる密閉容器を網で間仕切り、その網の上に洗濯する衣類を均一に敷置した状態で、衣類全体に行き渡るように洗浄液やすすぎ水を噴射する。この洗浄液やすすび水が、高圧側の密閉容器と低圧側の密閉容器との圧力差により衣類を透過することにより衣類の洗浄、すすぎが行われる。同様に、乾燥空気を衣類を透過させることで乾燥が行われる。これらのいずれの工程も１台の装置で対応できる。大型ドラムを撹拌する必要がないので、より少ないエネルギーで洗濯、乾燥が行える。【選択図】図３
2014018640.tif 000002
【特許請求の範囲】
【請求項１】
洗浄液を入れた２つ以上の密閉容器に圧力差を発生させ、洗浄液を洗濯対象物に透過させることにより洗濯する技術。
【請求項２】
上側の容器に洗浄液を入れる際、洗濯対象物に高圧噴射させ、汚れを落とす技術と［請求項１］の組み合わせ
【請求項３】
上側の容器に洗浄液を入れる際、気体と洗浄液を混ぜた状態で衣類品に高圧噴射させ、同時に加圧をさせる技術と［請求項１］の組み合わせ
【請求項４】
上側の容器に気体と洗浄液を入る際、下側の容器を真空引きしながら注入し、連続的に洗浄する技術と［請求項１］の組み合わせ
【請求項５】
上下の容器を狭小化し、体積を小さくすることにより真空引きする効率を高める技術と［請求項１］の組み合わせ
【請求項６】
上側の高圧容器と下側の低圧側容器をそれぞれ２つ以上に分割し、洗浄液、すすぎ水及び乾燥空気を、衣類全体に均一に透過させる技術と［請求項１］の組み合わせ
【請求項７】
１台のコンプレッサーと１台の真空ポンプの弁を与え、複数の密閉容器を順次切り替えながら運転する技術と［請求項１］の組み合わせ
【請求項８】
密閉容器を真空引きしながら乾燥させる技術
【発明の詳細な説明】
【技術分野】
【０００１】本発明は、圧力差を利用し、布団やカーペットの様な大型衣類を、少ない洗浄水で効率良く洗濯する技術である。
【発明が解決しようとする課題】
【０００２】これまでの洗濯機械は、大型ドラムに洗濯する衣類（布団やカープットを含む）と洗浄液を入れ、ドラムを撹拌し、その遠心力により洗浄する。ドラムの回転に多大なエネルギーを必要とすると共に、大量の洗浄液や水を必要とした。
【０００３】少ないエネルギーで、また、より少ない洗浄液や水で洗浄する技術を開発する必要があった。
【発明の概要】
【０００４】密閉容器可能な容器を、網で２つに間仕切り、網の上に洗濯する衣類を敷置する（図１、図２、図３参照）。
【００５】衣類のある方の容器に洗浄液をノズルより衣類へ噴射して注入する。
【００６】次に、衣類のある容器へ洗浄液がある程度満たされた後、衣類のある容器の圧力を衣類の無い下の容器より高くすることにより、洗浄液が衣類を透過し、圧力の低い容器に移動し、洗浄する。
【００７】洗浄液のある容器と下の容器間に圧力差を生む方法は、衣類のある方の上側容器にコンプレッサーで加圧する方法と、下の容器の空気を真空ポンプで吸引し、減圧する方法があり、両者を併用することもできる（図５参照）。
【０００８】洗浄液をすすぐ際は、水を衣類品のある上側の容器に入れ、差圧により水を透過させることにより、すすぐ。
【０００９】乾燥の際は、洗浄液や水の代わりに加熱した乾燥空気を衣類品のある方の容器に入れ、圧力差により乾燥空気を透過させることにより、乾燥する。この際、容器全体を大気圧より圧力が低い状態することにより、効率的に乾燥させることができる。
【発明の効果】
【００１０】ドラムを必要としない洗浄システムは、装置全体を小型化でき、省エネルギー性に優れ、より少ない洗浄液で同等の洗浄効果を期待できる。
【主な用途】
【００１１】業務用クリーニング装置への使用が可能。
【図面の簡単な説明】
【００１２】
【図１】は、装置全体を上から見た正面図である。
【図２】は、装置全体を横から見た断面図である。容器を間仕切る網と洗濯される衣類品の大きさの説明図である。
【図３】は、上側の高圧容器に洗浄液を入れる際に、加圧機（コンプレッサー）により圧縮された気体と共に注入することにより、注入と加圧を一度に行う方法を示す。
【図１】
2014018640.tif 000003
【図２】
2014018640.tif 000004
【図３】
2014018640.tif 000005
(57)【要約】【課題】外皮のひきが弱く、尚かつ老化の遅いフランスパン風ハースブレッドの製造方法を提供する。【解決手段】そば粉と食塩と水で製造した中間生地（湯捏種）を最終生地に加え常法により発酵させて焼成しフランスパン風ハースブレッドを製造することで、これを解決した。【特許請求の範囲】
【請求項１】
（イ）最終生地のフランスパン用小麦粉１００重量部に対して、そば粉６重量部と食塩０．１２重量部と４０℃の温水６重量部を攪拌し、その後７０℃の温水２４重量部を加え、加熱しながら攪拌を続け温度を８０℃〜９５℃まで上昇させて中間生地（湯捏種）を製造する工程。
（ロ）１０℃〜４０℃に調整した中間生地（湯捏種）を最終生地に加える工程。
（ハ）中間生地（湯捏種）を加えて作った最終生地を、常法にて発酵させて焼成する工程を特徴とするフランスパン風ハースブレットの製造方法。
【請求項２】
上記中間生地（湯捏種）の製造を電子レンジ等の加熱方法を用いて行う請求項１の製造方法。
【発明の詳細な説明】
【発明の詳細な説明】
【技術分野】
【０００１】本発明は、小麦粉とそば粉を主原料とするフランスパン風ハースブレッドの製造方法に関するものである。
【背景技術】
【０００２】従来のフランスパン生地はフランスパン用小麦粉、食塩、モルト、イースト、水を主原料として製造されていた。【０００３】
【非特許文献】吉野精一著「基礎からわかる製パン技術」  柴田書店２０１１年  Ｐ４９
【発明の開示】
【発明が解決しようとする課題】
【０００４】しかしながら従来のフランスパン生地の配合で製造されたフランスパン類は、外皮のひきが強すぎる為に噛む力の弱い人には食べづらいという問題点があった。そこで、外皮のひきが弱くて、噛みやすいフランスパン類の製造方法が望まれていた。
【課題を解決する為の手段】
【０００５】上記目的を達成するものは、以下のものである。
本発明のフランスパン風ハースブレッドの製造方法は、そば粉と食塩と水とで作った中間生地（湯捏種）を、最終生地に添加するとこにより達成することが出来る。
【発明の効果】
【０００６】本発明のフランスパン風ハースブレッドの製造方法によれば、外皮のひきが弱くなり噛む力の弱い人でも食べやすくなった。尚、最終生地の加水量が多くなる為しっとり感があり老化も遅くなった。更にそば粉特有の風味と旨味を有するフランスパン風ハースブレッドが出来た。
【発明を実施するための最良の形態】
【０００７】本発明のフランスパン風ハースブレッドの製造方法について説明する。本発明のフランスパン風ハースブレッドの製造方法の特徴は、そば粉と食塩と水で作った中間生地（湯捏種）にある。【０００８】中間生地（湯捏種）の製造には、そば粉と食塩と水が使用される。最初にそば粉６００ｇ、食塩１２ｇ、４０℃の温水６００ｇを攪拌する。そこへ７０℃の温水２４００ｇを加え、更に攪拌する。その後攪拌しながら、熱を加え温度が８０〜９５℃になれば中間生地（湯捏種）の完成となる。【０００９】完成した中間生地（湯捏種）はおおむね１０℃〜４０℃の温度に調整してから最終生地に加える。その後この最終生地は、通常のフランスパン類の製造方法と同様に、発酵させた後に焼成する。これにより、これまでにはなかった特徴を有したフランスパン風ハースブレッドが得られる。尚、そば粉で中間生地を作ることなく、生のまま最終生地に加えても、課題を解決することは出来なかった。
【実施例１】
【００１０】最初に、本発明の中間生地（湯捏種）の製造方法の説明をする。最初にそば粉６００ｇ、食塩１２ｇ、４０℃の温水６００ｇを攪拌する。そこへ７０℃の温水２４００ｇを加え、更に撹拌する。その後攪拌しながら、熱を加え温度が８０℃〜９５℃になれば中間生地（湯捏種）の完成となる。
中間生地（湯捏種）の原料配合
（最終生地のフランスパン用小麦粉１００重量部に対して）
そば粉            ６重量部
食塩        ０．１２重量部
４０℃温水        ６重量部
７０℃の温水    ２４重量部【００１１】完成した中間生地（湯捏種）は温度をおおむね１０℃〜４０℃に調整してから最終生地に加える。【００１２】次に最終生地の製造方法を説明する。フランスパン用小麦粉１００００ｇ、インスタントドライイースト８０ｇ、食塩２００ｇ、モルトシロップ３０ｇ、Ｌ−アスコルビン酸０．３ｇ、水５５００ｇ、中間生地（湯捏種）３３００ｇを混捏して最終生地を製造する。
最終生地の原料配合
フランスパン用小麦粉            １００重量部
インスタントドライイースト      ０．８重量部
食塩                                ２重量部
モルトシロップ                  ０．３重量部
Ｌ−アスコルビン酸          ０．００３重量部
水                                ５５重量部
中間生地（湯捏種）                ３３重量部【００１３】出来上がった最終生地は、その後、通常のフランスパン類の製造方法と同様に、発酵させた後に焼成した。
【比較例１】
【００１４】従来のフランスパン生地の原料配合
フランスパン用小麦粉            １００重量部
インスタントドライイースト      ０．８重量部
食塩                                ２重量部
モルトシロップ                  ０．３重量部
Ｌ−アスコルビン酸          ０．００３重量部
水                                ７０重量部
【００１５】上記の配合で混捏をして生地を製造し、その後通常のフランスパン類の製造方法と同様に、発酵させた後に焼成した。
【００１６】
2014018202.tif 000002
【００１７】上記結果により、［実施例１］の中間生地（湯捏種）が添加されたフランスパン風ハースブレッドの優位性が証明された。
(57)【要約】【課題】  臭気が内容物に移行することのない、またゴミとしてかさばらない、新規の液体包装用複合フィルムを提供する。【解決手段】  ポリエチレン樹脂からなる最外層、ポリアミド樹脂からなる中間層、非晶性ポリエステル系樹脂からなる最内層を有する共押出複合フィルムであって、総フィルム厚みが６０〜２００μｍの範囲であり、前記ポリアミド樹脂からなる中間層の厚みが１０〜４０μｍの範囲であることを特徴とする液体用複合フィルム。【選択図】          なし【特許請求の範囲】
【請求項１】
ポリエチレン樹脂からなる最外層、ポリアミド樹脂からなる中間層、非晶性ポリエステル系樹脂からなる最内層を有する共押出複合フィルムであって、総フィルム厚みが６０〜２００μｍの範囲であり、前記ポリアミド樹脂からなる中間層の厚みが１０〜４０μｍの範囲であることを特徴とする液体用複合フィルム。
【請求項２】
非晶性ポリエステル樹脂がポリエチレンテレフタレートグリコール樹脂である請求項１に記載の液体包装用フィルム。
【請求項３】
ポリエチレン樹脂が密度０．９２５〜０．９４５の直鎖状低密度ポリエチレンである請求項１または２に記載の液体包装用複合フィルム。
【請求項４】
最外層が脂肪酸アミド系の有機系滑剤を実質的に含有しない請求項１〜３のいずれかに記載の液体包装用複合フィルム。
【請求項５】
ポリアミド樹脂がポリアミド６−６６である請求項１〜４のいずれかに記載の液体包装用複合フィルム。
【請求項６】
非晶性ポリエステル樹脂の密度が１．２５〜１．３０である請求項１〜５のいずれかに記載の液体包装用複合フィルム。
【発明の詳細な説明】
【技術分野】
【０００１】
本発明は、主にミネラルウォーター、ジュース等液体飲料の包装用包材として、保香性、ガスバリアー性の良好な共押出複合フィルムに関するものである。
【背景技術】
【０００２】
従来、液体飲料の包装にはガラス瓶やペットボトル等の容器が拡く用いられている。しかしながら、容器中の飲料を飲み終わった後の空き瓶や空のペットボトルがごみとしてかさばるという問題があった。
【０００３】
一方、上記容器のかさばりを改善できる軟質の包装袋として外層にポリエチレン樹脂、中間層にポリアミド樹脂、ヒートシール層にポリエチレン樹脂からなる多層フィルムが用いられている。
【０００４】
内容物の充填は、縦ピロー包装機を使用するが、この際、ヒートシール層の要求品質としては、充填後保管時、内容物に内容物接触層樹脂の臭い、成分が移行しないことが挙げられる。
【０００５】
従来、ヒートシール層の樹脂としては一般的にポリエチレン樹脂を配していた。しかし、このような多層フィルムはゴミとしてはかさばらないものの、最内層ポリエチレン樹脂層の樹脂を発生源とする臭気が内容物に移行するという問題がある。特にミネラルウォーターではそのために味が微妙に変わり商品価値が下がるという問題がある。
【先行技術文献】
【特許文献】
【０００６】
【特許文献１】特開２０１２−５６６０７号公報
【発明の概要】
【発明が解決しようとする課題】
【０００７】
本発明は、上記実情に鑑みなされたものであり、その解決課題は、臭気が内容物に移行することのない、またゴミとしてかさばらない、新規の液体包装用複合フィルムを提供することにある。
【課題を解決するための手段】
【０００８】
本発明者は、上記課題に鑑み鋭意検討した結果、特定の構成を有するフィルムによれば、上記課題を容易に解決できることを見いだし、本発明を完成するに至った。
【０００９】
すなわち、本発明の要旨は、ポリエチレン樹脂からなる最外層、ポリアミド樹脂からなる中間層、非晶性ポリエステル系樹脂からなる最内層を有する共押出複合フィルムであって、総フィルム厚みが６０〜２００μｍの範囲であり、前記ポリアミド樹脂からなる中間層の厚みが１０〜４０μｍの範囲であることを特徴とする液体用複合フィルムに存する。
【発明の効果】
【００１０】
本発明によれば、臭気が内容物に移行することのない、またゴミとしてかさばらない、新規の液体包装用複合フィルムを提供することができ、本発明の工業的価値は高い。
【発明を実施するための形態】
【００１１】
複合フィルムの最外層に配するポリエチレン樹脂層としては、低密度ポリエチレン（以下、ＬＤＰＥという。）、直鎖状低密度ポリエチレン（以下、ＬＬＤＰＥという。）、エチレンー酢酸ビニル共重合体（以下、ＥＶＡという。）、エチレンーアクリル酸共重合体（以下、ＥＡＡという。）、アイオノマー樹脂等が挙げられるが、樹脂の臭気の少なさを考慮するとＬＤＰＥやＬＬＤＰＥが好ましい。
【００１２】
また中間層のポリアミド（以下、Ｎｙという。）樹脂層としては、ポリアミド６、ポリアミド６／６６、ポリアミド１２、ポリアミド６／１２等、各種ポリアミド樹脂が好適に使用できる。特に柔軟性、製膜性、コストを考慮すると密度の低いポリアミド６／６６が好ましく、Ｎｙ樹脂層の厚みは、総厚みの１０〜４０％の範囲が好ましく、１５％から３０％がより好ましい。１０％未満とすると、耐ピンホール性、酸素バリア性に劣る傾向があり、４０％を超えるとフィルムが硬くなるという問題が生じる場合がある。
【００１３】
複合フィルムの最内層に配するヒートシール樹脂層としては、非晶性ポリエステル樹脂が挙げられるが、樹脂の臭気の少なさを考慮するとポリエチレンテレフタレートグリコール樹脂（ＰＥＴＧ）が好ましい。
【実施例】
【００１４】
実施例１：
以下に示した層構成の複合フィルムを共押出成形法によって製膜した。得られたフィルムについて下記項目を評価した。
層構成：  ＬＬＤＰＥ１（３６．０μｍ）／接着樹脂１（７．０μｍ）／Ｎｙ（２４．０μｍ）／接着樹脂２（７．０μｍ）／ＰＥＴＧ（４６．０μｍ）
ＬＬＤＰＥ：密度が０．９３０以上のＬＬＤＰＥ。
ＰＥＴＧ：密度が１．２７のＰＥＴＧ
【００１５】
比較例１：
層構成：  ＬＬＤＰＥ１（３６．０μｍ）／接着樹脂１（７．０μｍ）／Ｎｙ（２４．０μｍ）／接着樹脂２（７．０μｍ）／ＬＬＤＰＥ２（４６．０μｍ）
ＬＬＤＰＥ１：密度が０．９３０のＬＬＤＰＥ
ＬＬＤＰＥ２：密度が０．９１８のＬＬＤＰＥ。
【００１６】
（官能評価試験）
上記で得られたフィルムを用いて４辺をヒートシールして製袋（横１５０ｍｍ× 縦１５０ｍｍ）、この袋に市販のペットボトル入りミネラルウォーターをパックした。作成したパック品を恒温恒湿槽（６０℃、湿度９５％）に保存後のパック品及び、７０℃ボイル３０分間ボイルし、冷蔵庫で６日間保管した後のパック品のミネラルウォーターに異臭があるかどうかの官能試験を行った（モニター数７名，３点嗜好法、製袋品充填前の市販のペットボトル入りミネラルウォーターとの比較にて評価を行い、危険率５％以下を良好とした）。
【００１７】
【表１】
2014184652.tif 000002
【産業上の利用可能性】
【００１８】
本発明のフィルムは、例えば、ミネラルウォーター、ジュース等液体飲料の包装用包材として好適に利用することができる。
(57)【要約】【課題】ハミガキをする時に、歯の内がわや、歯並びの悪い所、奥歯などのミガキしにくい所を綺麗にブラシングできるように、ハブラシの両側を、カットしたハブラシを、提供する。【解決手段】ハブラシのブラシの部分（Ａ）と（Ｂ）部分を、丸くカットしたハブラシを特徴とする。【選択図】図１
2014184328.tif 000002
【特許請求の範囲】
【請求項１】
ハブラシのブラシの部分の形状が私の権利です。
【発明の詳細な説明】
【技術分野】
【０００１】この発明は、より良く歯垢を落とす為のハブラシに、関するものである。
【背景技術】
【０００２】従来のハブラシは、ブラシングやりづらく、汚れも落ちにくい。
【先行技術文献】
【０００３】
【特許文献１】
【発明の概要】
【発明が解決しようとする課題】
【０００４】従来のハブラシは、汚れが落ちにくい欠点があった。とくに奥歯や歯の内がわ又は、歯並びの悪い人
【課題を解決するための手段】
【０００５】（１）前の方に丸みを持たせる  （２）後ろの方にも丸みを持たせる
【発明の効果】
【０００６】ハブラシのブラシの部分が、丸みを持っているので、歯の内がわや奥歯の隙間又は、歯並びの悪い所にもブラシが入りこむので、汚れが落ちる。
ブラシが丸みを持っているので、マッサージ効果もある。
【図面の簡単な説明】
【０００７】
【図１】本発明の正面図である。
【図２】本発明の斜視図である。
【図３】ハブラシが、歯に密着やくしている図である。
【発明を実施するための形態】
【０００８】ハブラシの（Ａ）部分とハブラシの（Ｂ）部分を丸みをもった形状にする。
【符号の説明】
【０００９】（Ａ）ハブラシのブラシの前の方。
（Ｂ）ハブラシのブラシの後ろの方。
【図１】
2014184328.tif 000003
【図２】
2014184328.tif 000004
【図３】
2014184328.tif 000005
(57)【要約】【課題】  紐やテープを固縛した後、ケースなどからハサミやカッターを取り出し、切断作業を行ない、切断作業後、また収納の繰り返しなので、作業が煩雑であった。  本発明は、以上の問題点を解決するために考案されたものである。【解決手段】  ベース部の上部に、前方に突出したフック部の内側に刃を有するカッター部を設け、ベース部の両縁よりそれぞれに指乗せ部を設けたことを特徴とする園芸用カッター。【選択図】図１
2014184102.tif 000002
【特許請求の範囲】
【請求項１】
アーチ形状の上部を略矩形状に突出させた掃引体であるベース部の上部に、前方に突出したフック部の内側に刃を有するカッター部を設け、ベース部の両縁よりそれぞれに延伸させた逆アーチ形状の掃引体である指乗せ部を設けた保持部からなる園芸用カッター。
【請求項２】
前記園芸用カッターのフック部と保持部を独立させ、カッター部の下部にスライドピースを設け、ベース部に後方に開口するガイド溝を設け、それぞれが係合する請求項１記載の園芸用カッター。
【請求項３】
前記園芸用カッターのカッター部につまみ部を設けた請求項１又は２に記載の園芸用カッター。
【請求項４】
前記園芸用カッターのベース部の後端部をアール状に形成した請求項１〜３のいずれか一項に記載の園芸用カッター。
【発明の詳細な説明】
【技術分野】
【０００１】  本発明は、園芸や農業分野において、紐やテープを使っての固縛作業を行なう際、手に装着しながらも、指先の作業が出来る園芸用カッターに関するものである。
【背景技術】
【０００２】  従来、園芸や農業分野において、特に大規模施設栽培を行なう上で誘引作業を伴うケースは多岐にわたる。紐やテープを使って固縛作業を行なう際、切断には鋏やカッターが利用される。なお、刃が取付けられた刃保持体と持ち手部からなる園芸用カッターが知られている。
【先行技術文献】
【特許文献】
【０００３】
【特許文献１】特開Ｈ７−２４６０２７号公報
【発明の概要】
【発明が解決しようとする課題】
【０００４】  そのために、つぎのような問題点があった。
紐やテープを固縛した後、ケースなどから鋏やカッターを取り出し、切断作業を行ない切断作業後、また収納を繰り返すので、作業が煩雑であった。また小型のカッターを持ちながらの作業は可能ではあるが、つねに刃が露になっているので危険を伴う。
特許文献１参照の園芸用カッターにおいては、手を使った作業中、刃保持体は手の下部に位置し、紐の切断作業に移る際、反転させなければならない。よって手首を回転さ必要があるので目的の場所に刃保持体の開口部を近接させることは難しい。
本発明は、以上の問題点を解決するために考案されたものである。
【課題を解決するための手段】
【０００５】  ベース部の上部に、前方に突出したフック部の内側に刃を有するカッター部を設け、ベース部の両縁よりそれぞれに指乗せ部を設ける。
以上の構成よりなる園芸用カッター。
【発明の効果】
【０００６】  本発明を使用することによって、鋏やカッターをケースから出し入れする行程が省略でき、指先での作業に支障を与えない。また刃がフック部の内側に設けられる事により安全である。
【図面の簡単な説明】
【０００７】
【図１】本発明の第一、第二実施例の斜視図
【図２】本発明の第二実施例の動作状況を示す斜視図
【図３】本発明の第二実施例の動作状況を示す別方向から見た斜視図
【図４】本発明の第二実施例の分離した一方の斜視図
【図５】本発明の第二実施例の分離したもう一方の斜視図
【図６】本発明の第一，第二実施例の右側面図
【図７】本発明の第二実施例の断面図
【図８】本発明の装着状態を示す斜視図
【発明を実施するための形態】
【０００８】以下、本発明の実施の形態を図を用いて説明する。
（イ）図１は本発明の第１、第２実施例共通の斜視図である。アーチ形状の上部を略矩形  状に突出させた掃引体であるベース部（５）の上部に前方に突出したフック部（２）の  内側に刃（３）を有するカッター部（１）を設ける。刃（３）はベース部（５）に対し  ４０度〜５０度、好ましくは４５度の角度で設置することが望ましい。ベース部（５）  の両端よりそれぞれに延伸させた逆アーチ形状の掃引体である指乗せ部（４）を設ける  。カッター部（１）につまみ部（７）設ける。なお、形状は開口部であっても、両面に  凹部を設けてもよい。ベース部（５）後端部をアール形状に形成させる。
（ロ）図２、図３は、本発明の園芸用カッターの第二実施例を示す動作状況を示す斜視図  である。前記園芸用カッターのカッター部（１）と保持部（６）を分離しカッター部（  １）の下部にスライドピース（９）を設け、ベース部（５）の上部突出部に後方で開口  するスライド溝（８）を設けそれぞれが着脱自在に係合する。
本発明は以上のような構造である。
本発明を使用する場合は、中指の背にベース部（５）をのせ、人差し指、薬指を指乗せ  部（４）に乗せる。手を軽く握ることで確実に保持することが出来る。フック部（２）  で紐を捉え引く事により、刃（３）上を紐が移動しながら切断される。第２実施例にお  いては、刃（３）が摩耗した場合、カッター部（１）を後方に引き出すことで取り外す  事が出来る。その際、カッター部（１）につまみ部を設ける事により、挟持抵抗が増す  ので、より取り外しが容易になる。新しいカッター部（１）を装着する際は、スライド  溝（８）後方の開口部よりカッター部（１）下部のスライドピース（９）を挿入するこ  とで、容易に装着できる。ベース部（５）後端をアール状に形成することで、装着する  際の指の発生部位との干渉を防ぐことができる。材質については刃（３）はスチール製  であり、カッター部（１）、保持部（６）ともプラスチック等の合成樹脂で形成される  。
【符号の簡単な説明】
【０００９】１  カッター部、  ２  フック部、  ３  刃、  ４  指乗せ部、  ５  ベース部、
６  保持部、  ７  つまみ部、  ８  スライド溝、  ９  スライドピース
【図１】
2014184102.tif 000003
【図２】
2014184102.tif 000004
【図３】
2014184102.tif 000005
【図４】
2014184102.tif 000006
【図５】
2014184102.tif 000007
【図６】
2014184102.tif 000008
【図７】
2014184102.tif 000009
【図８】
2014184102.tif 000010
(57)【要約】【課題】簡単な構成で頸部を効率良く冷却できるような構成の頸部冷却パッドを提供する。【解決手段】（１）頸部冷却パッドは、四角形状に形成し、一方端部が開放されている袋体に、保冷剤を収納し、収納した袋体の一方端部を折り曲げることで保冷剤を封止することであり、また、前記袋体の表側に保冷剤を収容した表示を施したことである。【選択図】図１
2014184107.tif 000002
【特許請求の範囲】
【請求項１】
四角形状に形成し、一方端部が開放されている袋体に、保冷剤を収納し、収納した袋体の一方端部を折り曲げることで保冷剤を封止することを特徴とする頸部冷却パッド。
【請求項２】
前記袋体の表側に保冷剤を収容した表示を施したことを特徴とする請求項１に記載の頸部冷却パッド。
【発明の詳細な説明】
【技術分野】
【０００１】  本発明は、頸部冷却パッドに関し、詳しくは、首筋にあたる頸部の部位を簡単に冷却する頸部冷却パッドであって、保冷剤を袋体に収納して携帯自在な構成にし、いつでも頸部部位に袋体ごと押し当てるようにして冷却する頸部冷却パッドに関する。
【背景技術】
【０００２】  従来技術における頸部冷却パッド１は、図３乃至図５に示すように、スポンジまたは発砲ウレタンでできた中央の保水部２を柔らかく吸水性と強度に優れた繊維層でできた保湿部３で被覆し、これを荒目の繊維層でできた蒸発部兼カバー４で包み縫合し、カバー４部分でＡ面にメンソール系鎮痛塗布剤を繊維層に冷却効果剤として含ませた侵潤部５を包み込み、蒸発部兼カバー４のカバー部分はＡ面のみをカバーする幅とし、全体的に首周りを巻くに充分な長目のパッドとしての両端の冷却体を持たない薄い繊維層部分に表裏互い違いに接着部６ａ、６ｂを貼っている構造で、首周りに装着後両端を重ねれば簡単に装着できる構造となっている。【０００３】  このような構造の頸部冷却パッドにおいては、首の頸部にパッドを巻きつけるようにして両端に設けた接着部を重ね合わせることで頸部を冷却することができる。
【先行技術文献】
【特許文献】
【０００４】
【特許文献１】特開２０１０−２４２２７３号公報
【発明の概要】
【発明が解決しようとする課題】
【０００５】  しかしながら、従来技術で説明した頸部冷却パッドにおいては、先ず、構造が極めて複雑で且つ首の周囲に巻きつける必要があり、必要なときに冷却するのではなく常時冷却する構造であるために短時間に冷却しすぎてしまうという問題がある。【０００６】  従って、頸部冷却パッドにおいて簡単な構成で頸部を効率良く冷却できるような構成に解決しなければならない課題を有する。
【課題を解決するための手段】
【０００７】  上記課題を解決するために、本願発明の頸部冷却パッドは、次に示す構成にすることである。【０００８】（１）四角形状に形成し、一方端部が開放されている袋体に、保冷剤を収納し、収納した袋体の一方端部を折り曲げることで保冷剤を封止することを特徴とする頸部冷却パッド。
（２）前記袋体の表側に保冷剤を収容した表示を施したことを特徴とする（１）に記載の頸部冷却パッド。
【発明の効果】
【０００９】  本発明に係る頸部冷却パッドは、袋体に保冷剤を収容した簡単な構造であるために、持ち運びが極めて簡単で且つ頸部に押し当てることが極めて容易に行うことができ、且つ部分的に冷却することができるため、いつでもどこでも場所を選ぶことなく頸部部位を冷却することができる。
【図面の簡単な説明】
【００１０】
【図１】  本願発明に係る頸部冷却パッドの外観を示す全体図である。
【図２】  本願発明に係る頸部冷却パッドの外観を示す全体図である。
【図３】  従来技術における頸部冷却パッドの外観を示す全体斜視図である。
【図４】  図３における頸部冷却パッドの断面図である。
【図５】  従来技術における頸部冷却パッドの使用形態を示す説明図である。
【発明を実施するための最良の形態】
【００１１】  本願発明に係る頸部冷却パッドの実施形態について、図面を参照して説明する。【００１２】  本発明に係る頸部冷却パッド１０は、図１に示すように、保冷剤１１を袋体１２に収納して袋体１２の開口側を折り曲げることで保冷剤を内部に収容した状態にすることが可能になる。【００１３】  保冷剤１１は、蓄冷剤ともいわれ、四角形状の袋に袋詰めされて使用されるもので、約９９％の水と高吸水性樹脂（ポリアクリル酸ナトリウム）、防腐剤、形状安定剤が含まれている。常温では解けた状態で保冷効果はないので、まず冷凍庫で十分に凍らせてから使用する。そして、使用して温まってしまっても、また冷凍させるだけで何回でも繰り返し使うことができる。【００１４】  袋体１２は、保冷剤を収容できる大きさに形成され、四角形状に形成されたポリエチレン等で形成され、その表側にはロゴが記載され、裏側には注意事項や製造販売元、特許出願中等の記載がなされている。
実施例の場合、格子状に水色１３とピンク色１４に色彩を施し、右下側に水色で施したペンギンのマーク１５を施し、略中央位置に「つめたーいｉｃｅまん」というロゴを施している。【００１５】  袋体１２の表側に記載されているロゴは、例えば、
「クールな冷氷くん」、「冷え冷えくん」、「あついときのみかた氷くん」、「こおりくん」、「夏のみかた氷くん」、「夏のみかた冷くん」、「夏のみかた凍くん」、「氷があれば夏でも大丈夫！」、「ｉｃｅ」、「助けてｉｃｅくん」、「助けてｉｃｅまん」、「ひっえひっえのこおりくん」、「ひっえひっえのｉｃｅくん」、「冷」、「ヒエッとする冷たさ！！」、「ｉｃｅまんとあつさをのりこえよう！」、「夏だひょっえ〜！！」、「ｉｃｅまんのでばんだ！」、「ｉｃｅまん皆を救え★」、「つめたぁ〜いｉｃｅまん」、「あついといったらｉｃｅまん」、「あついときは氷くん」、「氷血時代」、「氷河期」、「氷大魔神」、「暑さから助けるヨ！！」、「Ｔｈｅアイス」、「ＣＯＯＬ  ＤＯＷＮ」、「ああ″つめてぇ〜」、「ＡＨひゃっこい」
である。
これらは、ひとつのロゴでもよく、実施例の如く、複数のロゴを左右自在、大小自在にして記載するようにしてもよい。【００１６】  このような袋体１２に冷却されている保冷剤１１を開口部から収容し、開口部を折り曲げることで頸部冷却パッド１０は完成する。【００１７】  図２に示すものは、他の実施例で、袋体１２に表示するロゴが冷たくなるようなロゴを集めて、様々な角度から記載した構成になっている。
このようにすることで、あらゆる角度から見た場合でも冷却するものであることが容易に識別でき、且つ冷却する部位をロゴの表示に合わせることで的確な冷却をすることが可能になる。
【産業上の利用可能性】
【００１８】  頸部冷却パッドは、四角形状に形成した袋体に保冷剤を収容して携帯自在な構成にし、適宜頸部部位に押し当てることで頸部を冷却する頸部冷却パッドを提供する。
【符号の説明】
【００１９】１１    保冷剤
１２    袋体
１３    水色
１４    ピンク色
１５    マーク
【図１】
2014184107.tif 000003
【図２】
2014184107.tif 000004
【図３】
2014184107.tif 000005
【図４】
2014184107.tif 000006
【図５】
2014184107.tif 000007
(57)【要約】【課題】不便さを軽減して、詰め替え作業を簡単に行えることで、ゴミを減らし、地球環境に配慮した、詰め替え容器を提供する。【解決手段】詰め替え作業を、容器の横置きで可能とし、設置する面を安定させ（１）、胴体部分に詰め替え口を設ける（２）ことにより従来より広い面積の注入口を設けることも可能となり、詰め替え作業が簡単になり時間短縮になる。【選択図】図１
2014184985.tif 000002
【特許請求の範囲】
【請求項１】
横置きでの詰め替え作業が可能であることが特徴の詰め替え容器。
【請求項２】
前記容器の頭部及び胴体部分の、材質及び形状の種類を問わず、横置きでの詰め替え作業を可能にするため、設置する面は、面、または面あるいは点のバランスをとりぐらつかないように安定させ、胴体部分に前記詰め替え口を設け、注入口の面積を広くすることも可能にしたことを特徴とした、請求項１記載の詰め替え容器。
【発明の詳細な説明】
【技術分野】
【０００１】  本発明は詰め替え容器構造に関し、詰め替えの簡素化でゴミを減らし、地球環境に配慮する、詰め替え容器構造に係わる。
【背景技術】
【０００２】  従来からゴミ削減を主目的に詰め替え容器本体及び詰め替え用パック及び詰め替え補助用具の開発が進んでいる。
【発明の概要】
【発明が解決しようとする課題】
【０００３】  しかしながら、従来の方法によると、容器を立てた状態で詰め替えを行わねばならず、倒して、液漏れする等の不便な点があった。【０００４】  高い位置の注入口及び狭い注入口への詰め替えは不安定であり、特に詰め替え中に手が滑って本体を倒してしまうと言う点があげられる。【０００５】  こういった面倒さから、環境への配慮は充分に考えていても、結局、詰め替え容器本体を廃棄しまた新たに詰め替え容器本体を購入・使用することがある。【０００６】  本発明は  詰め替え時における不便さのストレスを軽減し、万人がより簡単に詰め替えを行うことにより、無駄を省いて、ゴミを減らしエコを推進し地球環境へ配慮するものである。
【課題を解決するための手段】
【０００７】  本発明の詰め替え容器本体において、ポリプロピレン樹脂等、及び陶器等、及びその他の、容器本体の材質を問わず、また胴体部分の構造が、球体に極めて近い物、及び多面体の物など形を問わず、また頭部分の構造が、ノズル付きの物、及びノズルが付いていない物を問わず、詰め替え時に本体の横置きが可能となるように、設置する面を平面などにする、及び面または点のバランスをとり安定させる、さらに横置きでの注入が可能となるように、詰め替え口を胴体部分に設けることによって詰め替え作業を簡単に行うものである。【０００８】  本体の横置きが可能となるよう、設置する面を、平面などにする、または面あるいは点の組み合わせ等でバランスをとり、ぐらつかないように安定した形にする。【０００９】  横置きでの詰め替え作業が可能となるように、容器本体の胴体部分に、詰め替え口を、はめ込み蓋またはキャップ等により設ける。
【発明の効果】
【００１０】  詰め替え時に本体を横置きに出来ることでより安定して詰め替えが行える。【００１１】  また、従来よりも広い注入口を設けることが可能である。よってより簡単に、より短時間で詰め替えが行える。【００１２】  したがって、詰め替えパック等側の容器についても注入口を広くするなど改良が可能となり、さらに簡単な詰め替え作業が可能となる。
【発明を実施するための形態】
以下、本発明の詰め替え容器の実施の一形態について、図面を参照して説明する。
【００１３】  設置する面は、面、または面あるいは点の組み合わせ等で、安定した形にし、横置きを可能にする。（１）
【００１４】  詰め替え容器の胴体部分に  詰め替え口を設ける（２）
【００１５】  詰め替え作業は容器本体を横置きにした状態で胴体部分の詰め替え口（２）より行う。
【図面の簡単な説明】
【００１６】
【図１】本発明の詰め替え容器構造を横置きにした側面図の一例である。
【図２】本発明の詰め替え容器構造の正面図の例である。
【符号の説明】
【００１７】１・・・・・・・・容器を横置きにした時の、設置する面の一例
２・・・・・・・・詰め替え口
【図１】
2014184985.tif 000003
【図２】
2014184985.tif 000004
(57)【要約】【課題】  雪道や泥濘の路面において、キャリーバックを運搬移動する場合でもあまり労力を要しないよう構成させる。【解決手段】  キャリーバック１のキャスター５部分が路面に食い込まないよう、ソリ状構造体１０を取り付け、路面の状況により収納されたソリ６をキャスター下面にセットする構成としたものである。【選択図】図１
2014140606.tif 000002
【特許請求の範囲】
【請求項１】
雪上やぬかるみ道などでも楽に運搬でき、かつ、運搬時の鞄及びその内容物への衝撃を低減するソリ状もしくはソリの機能を果たす構造物を付加することにより、運搬の省力を可能としたことを特徴とするキャスター付きバック類。
【請求項２】
上記ソリ状構造物を、ヒンジで折り曲げて収納できる構成とし、通常の硬い平坦地を運搬する際でも利便性や省力性を損なわないことを特徴とする請求項１記載のキャスター付きバック類。
【請求項３】
上記ソリ状構造物を、ソリ機能時或いは収納時に、その状態を保持できるよう留め具を取り付けたことを特徴とする請求項１、２記載のキャスター付きバック類。
【発明の詳細な説明】
【技術分野】
【０００１】  本発明は、車輪からソリへの切り替え操作、ソリから車輪への切り替え操作を容易かつ安全に行うことができる雪上移動兼用キャリーバックの提供に関するものである。
【背景技術】
【０００２】  従来のキャリーバックは、運搬時の利便性向上のため鞄本体にキャスターと、上面もしくは側面に取手（伸縮するものを含む）が設けられたものが一般に広く用いられている。
【先行技術文献】
【特許文献】
【０００３】
【特許文献１】平８−１１７２３号広報
【特許文献２】平１０−３１５９８３号広報
【特許文献３】２０１１−１２６４５８号広報
【発明の概要】
【発明が解決しようとする課題】
【０００４】  しかしながら、以上の技術によれば、雪上を運搬する際に、凍結した雪上以外の新雪や雪解けの柔らかい雪上では、鞄本体を持ち上げずに運搬するとキャスターが雪に食い込んで移動が難しい。また、その理由から持ち上げて運ばなければならないため、運搬に非常に労力を強いる構造となっているので、老人や身体に障害のある人は言うに及ばず、健常者にとっても非常に労力を要する。
そこで本発明は、雪上を運搬する際に、省力かつ雪上での食い込みを低減する折りたたみ式のソリ機能を有し、雪上運搬時の労力を省力化する機能を付加したキャリーバックを提供することを課題とする。
【課題を解決するための手段】
【０００５】  請求項１に係る発明は、上記の目的を達成するための本発明のキャスター付きキャリーバック類は、鞄部の下部に備えたキャスター接地部を覆う形のソリ状構造物を付加することにより、降雪時等キャスターが機能を果たさない場合、収納されているソリ状構造物がキャスターの接地面側に配置構成されることで、運搬時の労力を省力化できるよう構成させたことを特徴とする。【０００６】  上記ソリ状構造物は、鞄からの荷重に応じて変形が容易なプラスチック或いは金属性とし、収納時には真直ぐで、ソリ状で使用する場合には荷重に順応しキャスターの下面ではソリの機能を果たす材質が良い。【０００７】  請求項２に係る発明は、ソリ状構造物の片端にヒンジを取り付けて反転させて折り曲げられる構成とすることで、ソリの機能が不要の場合は折り曲げて収容できる構成を特徴とする。【０００８】  請求項３に係る発明は、ソリ状構造物を使用或いは収納時に、ソリ構成体がヒンジ部で回転移動しないよう係止部を取り付けた構成を特徴とする。
【発明の効果】
【０００９】  以上説明したように、本発明によるソリ機能付きキャリーバックは、簡単な操作で、即座に雪道と雪の積もっていない路面とが混在或いは泥濘路面に遭遇した場合であっても、ソリ状に早変わりさせられるので、障害者や老人のみならず、健常者にとっても大変な利便性を獲得するものである。
【図面の簡単な説明】
【００１０】
【図１】本発明に係るキャリーバック全体を示す斜視図。
【図２】本発明に係るソリ状構造物の平面図。
【図３】本発明に係るソリ状構造物の側面図。
【発明を実施するための形態】
【００１１】  本発明の実施例の形態を図面に基づいて説明すると、図１はボックス型のキャリーバック１を示す斜視図で、鞄本体２には取手３、伸縮機能付き取手は４、キャスター５を備え、このバックのキャスター５の接地側を覆う形でソリ６を備えることで、降雪時等キャスター５がその機能を果たせない事態の場合、折り畳んであるソリ６をキャスターの下面に回転移動し、キャリーバック１の荷重を乗せ、取手４を引き移動させる形態とする。
ソリ状構造物１０は、鞄本体の下部のキャスター５の場所に調和させ取り付けるもので、取り付け金具８で固定する。金具８にはヒンジ部７を介してソリ６が回転自在に取り付けられる。金具８の側面の固定具９は、ソリが使用時或いは収納時共に動かないよう係止孔１１が設けられ、ソリ側の球状係止具が嵌合し固定される。
以上の構成の中で、通常は鞄本体の裏側に折り畳み収納されているソリ６を、降雪時や路面が泥濘の場合にはヒンジ部７で折り畳まれたソリ６を引き下ろしキャスター５の下方にセットして利用し、その後路面が回復すれば逆に折り畳み収納する。
【符号の説明】
【００１２】  １  キャリーバック
２  鞄本体
３  取手
４  伸縮機能付き取手
５  キャスター
６  ソリ
７  ソリ部ヒンジ
８  取り付け金具
９  止め具
１０  ソリ状構造物
１１  係止孔
【図１】
2014140606.tif 000003
【図２】
2014140606.tif 000004
【図３】
2014140606.tif 000005